(57)【要約】  人体の体腔をマッサージするための器具（１０）は、人体における体腔の内側に適合する長さと直径とを有するように形成された略円柱状軸と、三角形、正方形、又は楕円形等の補助対称図形（２４）の内側に形成された非対称の稜部とを含む。マッサージ器の断面（２０）の非対称は、体腔からの圧力が該マッサージ器（１０）に加わったときに、ねじれ動作を許す。
2018519976.tif 000002
【特許請求の範囲】
【請求項１】
体腔に適した長さと直径とを有する体腔のマッサージ器１０において、
該マッサージ器の外形は、三角形、正方形、長方形又は楕円形を非限定的に含む補助対称図形２４の内側に形成された非対称の縁部を有し、該マッサージ器の外形が該補助対称図形の始点から該補助対称図形との間が最も離れた点まで内方に漸増的に離れ、当該最も離れた点から該補助対称図形の始点まで漸減的に離れるようにしたマッサージ器。
【請求項２】
人体における体腔の内側に適合する長さと直径とを有するように形成された略円柱状軸と、
該略円柱状軸の外面の稜部とを備え、該稜部は該略円柱状軸の縦軸と平行な方向に該略円柱状軸に周設されている、人体の体腔をマッサージするための器具１０において、
前記稜部と略円柱状軸は、補助対称図形２４に対応する非対称断面２２を有し、
該稜部は、前記補助対称図形と該略円柱状軸の端間の前記断面との間に最大の分離を有する人体の体腔をマッサージするための器具。
【請求項３】
前記補助対称図形２４は正三角形であり、前記非対称断面は二等辺三角形である請求項１に記載のマッサージするための器具。
【請求項４】
前記補助対称図形２４は正方形であり、前記断面は非対称四辺形である請求項１に記載のマッサージするための器具。
【請求項５】
前記稜部は略円柱状軸の外面の螺旋路に沿って形成されている請求項１に記載のマッサージするための器具。
【請求項６】
人体における体腔の内側に適合する長さと直径とを有するように形成された略円柱状軸と、
該略円柱状軸の外面の稜部とを備え、該稜部は該略円柱状軸の縦軸と平行な方向に該略円柱状軸に周設されている、人体の体腔をマッサージするための器具１０において、
前記稜部と略円柱状軸は、平面図において補助対称図形２４を有し、
前記稜部と略円柱状軸は、該補助対称図形に対応する非対称断面２２を有し、
前記稜部は、前記補助対称図形と該略円柱状軸の端間の前記断面との間に最大の分離を有する人体の体腔をマッサージするための器具。
【請求項７】
前記補助対称図形２４は長方形であり、前記断面は非対称四辺形である請求項６に記載のマッサージするための器具。
【請求項８】
前記稜部は前記略円筒状軸の外面の螺旋路に沿って形成されている請求項6に記載のマッサージするための器具。
【発明の詳細な説明】
【技術分野】
【０００１】
本発明は、体腔のマッサージ器として使用することができる器具に関するものである。
【背景技術】
【０００２】
流体又は電解質に関連する循環問題及び／又はホメオスタシス問題により非感染性の障害が生ずることがある。このような障害は、マッサージその他の物理的手段により解消されることがある。例えば、充血した前立腺は、前立腺のマッサージにより解消することがある。同様に、痔核のマッサージは、痔核組織付近の血流を刺激することにより、症候の解消に効果的である。
【０００３】
従来のマッサージ器は、マッサージ動作を行うために外力に頼ることがしばしばある。本願発明者に与えられたアメリカ特許第５７９７９５０号、第５８６１０００号及び８１８２５０３号は、外力なしで使用することができる前立腺マッサージ器を開示している。その代り、これらの器具は、マッサージ動作を行うために括約筋の収縮と弛緩とを利用している。これらの器具は、括約筋の収縮力と相互作用を行う構造を備えており、該括約筋の収縮力は該器具のすべり運動に変わる。
【発明の概要】
【発明が解決しようとする課題】
【０００４】
本発明の目的は、人体の体腔に保持されるマッサージ器を提供することにある。
【０００５】
本発明の目的は、体腔内でねじれ動作を行うことができるマッサージ器を提供することにある。
【０００６】
本発明の目的は、体腔の表面に関連してマッサージ器を回転させるために体腔と相互作用を行う表面を備えたマッサージ器を提供することにある。
【０００７】
本発明の別の目的は、体腔の表面と相互作用を行う非対称面を備えたマッサージ器を提供することにある。
【０００８】
本発明における上記その他の目的と利点は、添付の明細書と特許請求の範囲の記載から明らかになる。
【０００９】
本発明における上記その他の目的と利点は、添付の明細書と特許請求の範囲の記載から明らかになる。
【課題を解決するための手段】
【００１０】
体腔のマッサージ器は、対称の補助円の内側に非対称の縁部を備えている。本出願は、三角形、正方形その他の対称図形の内側に非対称の縁部を備えた体腔のマッサージ器を提供する。
【図面の簡単な説明】
【００１１】
【図１】図１は、本発明の一実施例による体腔マッサージ器１０を示す側面図である。
【図２】図２は、補助三角形の内側における図１のマッサージ器１０を示す断面図である。
【図３−１】図３−１は、補助三角形の内側における図１のマッサージ器１０を示す断面図であって、本発明の一実施例によるマッサージ器４０の作動メカニズムを示す力のベクトルを有する。
【図３−２】図３−２は、補助三角形と非対称断面との相関的な分離を示す。
【図４−１】図４−１は、力のベクトルを付した補助長方形の内側におけるマッサージ器４０の断面図であり、本発明の一実施例による該マッサージ器４０の作動メカニズムを示す。
【図４−２】図４−２は、補助対称長方形と非対称断面との相関的な分離を示す。
【発明を実施するための形態】
【００１２】
図１〜４−２において、図１は、本発明の一実施例による体腔マッサージ器１０を示す側面図である。図１に示すように、マッサージ器１０は第一端１２と第二端１４とを有する。マッサージ器１０に沿って延びる補助図形１６の一点も示されている。
【００１３】
図２は、図１のマッサージ器１０を示す断面図である。図２における断面２０は対称の補助三角形２４の内側に非対称の縁部を備えている。
【００１４】
補助三角形２４は、マッサージ器の三角形状の断面２２における外面の相対的バリエーションを示すために用いられている。
【００１５】
図２において、マッサージ器の外面を反時計方向に見て、外面線２２は点１から延び始め、補助三角形２４から内方に分離し、２’まで延びている。点２’から、外面２２は補助三角形２４から更に分離した状態で点３’まで延びており、稜線２’−３’から最大の分離となる。続いて、外面は点３’から点１まで延び、三角形を閉じる。
【００１６】
非対称線は、補助三角形２４に対し、点１において「稜」（より高い点）を形成し、点３’において最も低い点を形成する。
【００１７】
図３−１は、非対称の力がマッサージ器の外面に作用する状態の一例を概略的に示す。器具３０が体腔内に挿入されると、該器具は体腔における内壁の筋肉により圧縮され、マッサージ器はねじれ動作を行う結果になる。内腔圧力のベクトルがマッサージ器３０に加わり、該ベクトルは、補助三角形３４との関係で、上下方向に進み、１から２’及び２’から３’へ反時計方向に向かい、１から３’へ時計方向に向かい、全体のベクトルは下方へのより長い湾曲状に反時計方向に曲がる。
【００１８】
図３−２は、マッサージ器１０の作動メカニズムを説明する別の概略図である。矢印は、マッサージ器１０に働く圧縮力を表すベクトルの方向を示す。図３−２において、点線は「直線状」にした補助三角形３４を示し、実線は「直線状」にした断面を示す。補助三角形からの逸脱は容易に観察される。点１、２’、３’は図３−１における三角形の角部を示す。
【００１９】
図４−１及び４−２は、体腔用のマッサージ器４０の第二の実施例を示し、該マッサージ器４０の断面は不等辺四辺形、すなわち、平行な辺を有しない四辺形である。前述の三角形マッサージ器に作用する力のロジックと同じものが該四辺形マッサージ器にも該当する。
【００２０】
幅と高さとの比が１：１．５未満のいかなる楕円形、長方形等の対称図形も補助図形として使用することができる。
【００２１】
本発明の前記開示と説明は、例示的かつ説明的なものである。本発明の要旨から逸脱することなく、既述の構造、構成及び方法の細部における種々の変更を行うことができる。
【図１】
2018519976.tif 000003
【図２】
2018519976.tif 000004
【図３−１】
2018519976.tif 000005
【図３−２】
2018519976.tif 000006
【図４−１】
2018519976.tif 000007
【図４−２】
2018519976.tif 000008
【国際調査報告】
2018519976.tif 000009